(57)【要約】【課題】トンネル掘削機におけるテールシールブラシを構成するブラシ材の脱毛を有効に防止する。【解決手段】シールブラシ４のブラシ材１を内外側保護板６で挟み、該シールブラシ４基部のブラシ挟着具３と内外側保護板６の基部とを断面Ｕ字形のブラシホルダー８内に保持し、該Ｕ字形ブラシホルダー８をトンネル掘削機のテール部１４内周面に取り付け、Ｕ字形ブラシホルダー８から延出された上記ブラシ材１の先端部を上記外側保護板６の弾力にて上記テール部１４から押し出されるトンネル構築用埋設管の外周面に加圧接触してテールシールを図る構成としたトンネル掘削機におけるテールシールブラシにおいて、上記Ｕ字形ブラシ挟着具３の側板５口縁部と対向する上記Ｕ字形ブラシホルダー８の内面に平板から成る押え板１２を溶接にて取り付け、該押え板１２にて上記Ｕ字形ブラシ挟着具３の側板５口縁部を縮閉方向へ加圧する構成とした。【選択図】        図２  
2005061035.tif 000002
【特許請求の範囲】
【請求項１】
ブラシ材の基部を断面Ｕ字形のブラシ挟着具で挟着保持してシールブラシを形成し、該シールブラシのブラシ材をばね板から成る外側保護板と内側保護板で挟み、該シールブラシの基部と内外側保護板の基部とを断面Ｕ字形のブラシホルダー内に保持し、該Ｕ字形ブラシホルダーをトンネル掘削機のテール部内周面に取り付け、Ｕ字形ブラシホルダーから延出された上記ブラシ材の先端部を上記外側保護板の弾力にて上記テール部から押し出されるトンネル構築用埋設管の外周面に加圧接触してテールシールを図る構成としたトンネル掘削機におけるテールシールブラシにおいて、上記Ｕ字形ブラシ挟着具の側板口縁部と対向する上記Ｕ字形ブラシホルダーの内面に平板から成る押え板を溶接にて取り付け、該押え板にて上記Ｕ字形ブラシ挟着具の側板口縁部を縮閉方向へ加圧する構成としたことを特徴とするトンネル掘削機におけるテールシールブラシ。
【請求項２】
上記押え板のエッジで上記Ｕ字形ブラシ挟着具の側板口縁部を縮閉方向へ加圧する構成としたことを特徴とする請求項１記載のトンネル掘削機におけるテールシールブラシ。
【発明の詳細な説明】
【技術分野】
【０００１】
この発明はトンネル掘削機のテール部に取り付けられるテールシールブラシに関する。
【背景技術】
【０００２】
従来よりブラシ材の基部を断面Ｕ字形のブラシ挟着具で挟着保持してシールブラシを形成し、該シールブラシのブラシ材をばね板から成る外側保護板と内側保護板で挟み、該シールブラシの基部と内外側保護板の基部とを断面Ｕ字形のブラシホルダー内に保持し、該Ｕ字形ブラシホルダーをトンネル掘削機のテール部内周面（スキンプレート内周面）に取り付け、Ｕ字形ブラシホルダーから延出された上記ブラシ材の先端部を上記外側保護板の弾力にて上記テール部から押し出されるトンネル構築用埋設管（セグメント）の外周面に加圧接触してテールシールを図る構成としたトンネル掘削機におけるテールシールブラシが既知である。
【０００３】
このテールシールブラシにおいては、トンネル掘削機の前進とトンネル構築用埋設管の押し出しに伴い、上記シールブラシに強力な引き抜き力が作用し、ガタや脱毛を生じてシール機能を低下する問題を内在している。
【０００４】
特許文献１は上記問題を解決する手段として、上記Ｕ字形ブラシ挟着具の側板口縁部の外側面に銅線から成る丸線材を溶接により取り付け、該丸線材とＵ字形ブラシ挟着具に重ねた上記保護板を介して上記Ｕ字形ブラシホルダーに保持させる構成を採っている。
【０００５】
即ち、シールブラシを形成するＵ字形ブラシ挟着具の押え手段として、事前に上記Ｕ字形ブラシ挟着具の側板口縁部の外側面に上記丸線材を溶接しておき、この丸線材を溶接したシールブラシの基部を上記Ｕ字形ブラシホルダー内に保持させた時に、上記丸線材を上記保護板で加圧しつつ、Ｕ字形ブラシ挟着具の側板口縁部を縮閉方向へ加圧して同挟着具の側板の開きを阻止することを意図している。
【特許文献１】特開平８−１３９８６号
【発明の開示】
【発明が解決しようとする課題】
【０００６】
然るに上記押え手段たる丸線材は、引き抜き力が作用するシールブラシ自身、即ちＵ字形ブラシ挟着具自身に取り付けられているために、引き抜き力により丸線材と保護板の接面において滑りを生起し、シールブラシの移動を生ずる恐れを有し、又シールブラシを複段重ねした時の位置決めが適切に行い難くなる問題を有している。
【０００７】
又Ｕ字形ブラシ挟着具は薄肉の板材を用いているため、この薄肉板材から成るブラシ挟着具の側板に丸線材を溶接する時に、高熱によりブラシ材の熱脆化を生じ、折損と脱毛を来す問題、更には側板に穴が穿く問題を有しており、丸線材を挟着具の側板に強固に取り付けることが困難であった。
【課題を解決するための手段】
【０００８】
本発明は上記課題を解決するトンネル掘削機におけるテールシールブラシを提供するものである。
【０００９】
本発明は上記丸線材をＵ字形ブラシ挟着具の側板口縁部に溶接付けする方法を排し、Ｕ字形ブラシ挟着具の側板口縁部と対向する上記Ｕ字形ブラシホルダーの内面に平板から成る押え板を溶接にて取り付けて置き、このＵ字形ブラシホルダー内に上記シールブラシの基部を保持させた時に、該押え板にて上記Ｕ字形ブラシ挟着具の側板口縁部の外側面を縮閉方向に加圧し、同側板の開き止めを図る構成としたものである。
【００１０】
好ましくは上記押え板のエッジで上記Ｕ字形ブラシ挟着具の側板口縁部の外側面を縮閉方向に加圧し、上記開き止め作用を向上する構成とする。
【発明の効果】
【００１１】
本発明によれば、押え板がトンネル掘削機のテール部に固装されるＵ字形ブラシホルダー自身に溶接によって一体に取り付けられているために、該ホルダーと一体の押え板によって、即ちホルダーによってＵ字形ブラシ挟着具の側板に対する強力な押え力（側板の開き止め力）を確実に発揮し、且つシールブラシ（Ｕ字形ブラシ挟着具）に対する制動力を発揮し、上記Ｕ字形ブラシ挟着具を移動せんとする上記引き抜き力に対し、益々上記押え力と制動力を強化する作用が期待でき、上記テールシールブラシにおける課題を有効に解決し、初期の目的を確実に達成できる。
【００１２】
殊に押え板のエッジをブラシ挟着具の側板口縁部に作用させた場合には、上記押え力（側板の開き止め力）と制動力とをより有効に生起せしめることができる。
【発明を実施するための最良の形態】
【００１３】
以下本発明の最良の実施の形態を図１乃至図３に基づいて説明する。
【００１４】
金属線材から成るブラシ材１を芯線２に跨がせて二つ折りにし、該折曲基部を芯線２と一緒に断面Ｕ字形の金属製のブラシ挟着具３で挟着保持してシールブラシ４を形成する。
【００１５】
上記ブラシ挟着具３はその対向する側板５の中間部を芯線２の上位において挟搾して芯線２の脱出とブラシ材１の脱出を阻止する。従って上記対向する側板５は口縁部が狭幅となるように傾斜している。
【００１６】
上記シールブラシ４のブラシ材１の一方の側面と他方の側面、即ち対向する外側面にばね鋼板から成る保護板６を夫々重ね、シールブラシ４を内外側保護板６で挟み、該シールブラシ４の基部と内外側保護板６の基部とを断面Ｕ字形の肉厚の金属製のブラシホルダー８内に保持し、ブラシ材１と内外側保護板６とをブラシホルダー８の開口部から外方へ延出せしめ、テールシールブラシを形成する。
【００１７】
上記テールシールブラシはそのＵ字形ブラシホルダー８の外側板９をトンネル掘削機のテール部（スキンプレート）１４の内周面に充てがい、溶接にて取り付け同内周面に沿い環状に配設する。
【００１８】
よって上記Ｕ字形ブラシホルダー８の開口部から内外側保護板６と共に延出された上記ブラシ材１の先端部を上記外側保護板６の弾力にて上記テール部１４から押し出されるトンネル構築用埋設管の外周面に加圧接触してテールシールを図る。
【００１９】
上記Ｕ字形ブラシ挟着具３の側板５の口縁部と対向する上記Ｕ字形ブラシホルダー８の内面に平板から成る押え板１２を溶接にて取り付け、該押え板１２にて上記Ｕ字形ブラシ挟着具３の側板５の口縁部の外側面を縮閉方向に加圧し、同側板５の口縁部における開き止めを図る。
【００２０】
好ましい例示として、上記押え板１２はその基部側エッジ１３を上記Ｕ字形ブラシ挟着具３の側板５の口縁部の外側面に加圧接触するよう配設する。
【００２１】
上記Ｕ字形ブラシホルダー８は内外側板９間にシールブラシ４の基部を挟在し加圧しつつ、外側板９の基端からＬ形に折曲形成した底板１０の端部と内側板９の基端を溶接１１により一体構造にしＵ字形にする。
【００２２】
而して上記Ｕ字形ブラシホルダー８を形成する外側板９の内面の所定位置に細長の平板から成る外側押え板１２を重ね溶接１５にて取り付け、同様に内側板９の内面の所定位置に細長の平板から成る内側押え板１２を重ね溶接１５にて取り付けたものを準備する。
【００２３】
上記のようにこの内外側押え板１２を事前に溶接付けした内外側板９をシールブラシ４の対向する外側面に重ね加圧しつつ、上記溶接１１を行うことによって内外側押え板１２によるブラシ挟着具３の側板５の口縁部に対する加圧状態を形成する。
【００２４】
上記内外側保護板６はその基端がブラシ挟着具３と押え板１２に重ならないように両者３，１２から離間するように位置をずらして配置し、ブラシホルダー８の内外側板９の内面に重ねる。
【００２５】
そして有頭鋲７を内外側保護板６とブラシ材１に貫挿し、有頭鋲７の頭部を一方の側板９に当接し、同先端を他方の側板９に溶接して保護板６の脱出を阻止する。
【００２６】
上記シールブラシ４は図２に示すように、単一のシールブラシ４の基部を、従って単一のブラシ挟着具３を上記ブラシホルダー８内に保持せしめ、ブラシ挟着具３の外側板５の口縁部の外側面を上記外側押え板１２にて縮閉方向に押圧し、同挟着具３の内側板５の口縁部の外側面を上記内側押え板１２にて縮閉方向に押圧する。好ましくは、内外側押え板１２の基部側エッジ１３を上記Ｕ字形ブラシ挟着具３の側板５の口縁部外側面に加圧接触せしめる。
【００２７】
又は図３に示すように、複数のシールブラシ４を重ね、その基部を上記ブラシホルダー８内に保持せしめ、外側段のシールブラシ４を形成するブラシ挟着具３の外側板５の口縁部外側面を上記外側押え板１２にて押圧し、内側段のシールブラシ４を形成するブラシ挟着具３の外側板５の口縁部外側面を上記内側押え板１２にて押圧する。好ましくは、外側押え板１２の基部側エッジ１３を上記外側段のＵ字形ブラシ挟着具３の外側板５の口縁部外側面に加圧接触せしめると共に、内側押え板１２の基部側エッジ１３を上記内側段のＵ字形ブラシ挟着具３の外側板５の口縁部外側面に加圧接触せしめる。
【００２８】
上記のように押え板１２はトンネル掘削機のテール部１４に固装されるＵ字形ブラシホルダー８自身に溶接によって一体に取り付けられており、シールブラシ４に加わる引き抜き力に対する滑り移動の懸念が払拭される。
【００２９】
このホルダー８と一体の押え板１２によって、即ちホルダー８によってＵ字形ブラシ挟着具３の側板５に対する縮閉方向への強力な押え力（側板５の開き止め力）を発揮する。
【００３０】
加えてシールブラシ４（Ｕ字形ブラシ挟着具３）が引き抜き力に対し移動せんとする場合の制動力を発揮する。殊に押え板１２のエッジ１３をブラシ挟着具３の側板５の口縁部に作用させた場合には、上記押え力（側板の開き止め力）と制動力とをより有効に生起せしめることができる。
【図面の簡単な説明】
【００３１】
【図１】トンネル掘削機におけるテールシールブラシを分解して示す斜視図。
【図２】トンネル掘削機におけるテールシールブラシの一例を示す断面図。
【図３】トンネル掘削機におけるテールシールブラシの他例を示す断面図。
【符号の説明】
【００３２】
１…ブラシ材、２…芯線、３…ブラシ挟着具、４…シールブラシ、５…ブラシ挟着具の側板、６…内外側保護板、７…有頭鋲、８…ブラシホルダー、９…ブラシホルダーの内外側板、１０…ブラシホルダーの底板、１１…溶接、１２…内外側押え板、１３…押え板のエッジ、１４…トンネル掘削機のテール部、１５…溶接
【図１】
2005061035.tif 000003
【図２】
2005061035.tif 000004
【図３】
2005061035.tif 000005